(57)【特許請求の範囲】
【請求項１】
ばねにより付勢された長手方向に可動のランセットを内部に保持するとともに、通常は前記ランセットの端部を内部に収容し、側壁部の所定の位置に開口部を有する細長いハウジングと、
前記ばねを加圧する完全収納位置に前記ランセットを保持し、前記ランセットの針先端部が、前記ハウジングの前端から突出した瞬間的な位置を有するように前記ランセットを解除又は発射するための、トリガー機構と、
前記ランセットの側面に間隔をおいて位置し、前記ランセットから後方に伸張するスプリングフィンガと、前記ランセットの前方への動作時に、前記スプリングフィンガの端部がぱちんと通り越す位置にあり、少なくとも一部分が前記開口部の後端より前方に位置する、前記ハウジング内部の突起部と、を備える再使用防止手段と、を備え、
前記スプリングフィンガの端部及び前記突起部は、互いに接触する面を備え、発射後に所定の力より大きな力で前記ランセットを押し戻す試みがなされた場合には、前記突起部により、前記スプリングフィンガの端部を前記開口部の方向へ逸らし前記ハウジングの側壁部の開口部から突出させるように前記接触する面は互いに配置されることを特徴とする使い捨てスキンプリッカ。
【請求項２】
前記ランセットは、反対面に２つの前記スプリングフィンガを備え、左右対称であることを特徴する請求項１に記載の使い捨てスキンプリッカ。
【請求項３】
前記ハウジングは、２つの対向する前記開口部と、２つの対向する前記突起部と、を備えることを特徴する請求項２に記載の使い捨てスキンプリッカ。
【請求項４】
前記突起部は、内側及び前方にとがっている、返しのような形状を有することを特徴とする請求項２に記載の使い捨てスキンプリッカ。
【請求項５】
前記各スプリングフィンガは、前記ランセットの本体から外側に傾斜して後方に伸張していることを特徴とする請求項１から４のいずれかに記載の使い捨てスキンプリッカ。
【請求項６】
前記各スプリングフィンガは、前記ランセットの本体の側部とほぼ平行かつ間隔をおいて位置し、前記各スプリングフィンガの端部は、外側に張り出していることを特徴とする請求項１から４のいずれかに記載の使い捨てスキンプリッカ。
【請求項７】
前記針先端部は、前記各スプリングフィンガの端部が対応する前記突起部のすぐ後方に位置する初期の発射前位置から完全収納位置に前記ランセットを押し戻す細長いキャップにより、最初は保護されていることを特徴とする請求項１から４のいずれかに記載の使い捨てスキンプリッカ。
【発明の詳細な説明】
【技術分野】
【０００１】
本発明はスキンプリッカに関する。
【背景技術】
【０００２】
本発明は、一度発射したランセットについて、針先端部の開口部を介して押し戻すことを防止し、再び引き金をひいての再発射の防止を可能とした国際公開第02/043591号パンフレットに記載の発明を発展させ、デザインを改良したものである。
【発明の開示】
【課題を解決するための手段】
【０００３】
本発明によれば、ばねにより付勢された長手方向に可動のランセットを内部に保持するとともに、通常はランセットの端部を内部に収容し、側壁部の所定の位置に開口部を有する、細長いハウジングと、ばねを加圧する完全収納位置にランセットを保持し、ランセットの針先端部が、ハウジングの前端から突出した瞬間的な位置を有するようにランセットを解除又は発射するためのトリガー機構と、ランセットの側面に間隔をおいて位置し、ランセットから後方に伸張するスプリングフィンガと、ランセットの前方への動作時に、スプリングフィンガの端部がぱちんと通り越す位置にあり、少なくとも一部分が開口部の後端より前方に位置する、ハウジング内部の突起部とを備える再使用防止手段とを備え、スプリングフィンガの端部及び突起部は、互いに接触する面を備え、発射後に所定の力より大きな力でランセットを押し戻す試みがなされた場合には、突起部により、スプリングフィンガの端部を開口部の方向へ逸らしハウジングの側壁部の開口部から突出させるように、接触する面は互いに配置されることを特徴とする使い捨てスキンプリッカを提供する。
【０００４】
ランセットは、反対面に２つのスプリングフィンガを備え、左右対称であることことが好ましい。そして、ハウジングは２つの対向する開口部と、２つの対向する突起部と、を備え、突起部は、内側及び前方にとがっている、返し（barb）のような形状を有する形態であってもよい。
【０００５】
また、各スプリングフィンガは、ランセットの本体から外側に傾斜して後方に伸張している。あるいは、各スプリングフィンガは、ランセットの本体の側部とほぼ平行かつ間隔をおいて位置し、各スプリングフィンガの端部は、外側に張り出している形態であってもよい。
【０００６】
針先端部は、各スプリングフィンガの端部が、対応する突起部のすぐ後方に位置する初期の発射前位置から、完全収納位置に、ランセットを押し戻す細長いキャップにより最初は保護されていてもよい。
【発明を実施するための最良の形態】
【０００７】
発明をより良く理解するために、ここで図面を参照しながら1つの実施形態について述べる。
【０００８】
図１及び図２に示す器具は、バレル１を備え、バレル１は２つの部分が縦軸方向の裂け目で接合しており、ランセット２を収容する。
【０００９】
また、ランセット２は、プラスティック製であり、針３（図３）を包含し、ランセット本体に一体的に成形されねじることにより取り外しが可能な細長いキャップ４が、針３の先端部に嵌め込まれている。ランセット２を前方に移動するばね５は、図２にのみ示されている。また、ばね５は、ランセット２の頭部６に作用する。
【００１０】
ランセット２の本体は、バレル１の前方へ回転せずに移動することが可能な大きな末端部７を備える。また、ステム部８は、末端部７から後方に伸張して、頭部６で終端する。ステム部８の反対面において、スプリングフィンガ９は、末端部７とステム８との間の遷移部分の肩部を付け根として外側及び後方に導かれる。
【００１１】
スプリングフィンガ９は、ランセット２のプラスティック製の本体に一体的に成形され、弾力的に柔軟であり、ばね様に作用する。
【００１２】
スプリングフィンガ９は、外側に広がる端部１０を備える。バレル１の内部のほぼ中間となる位置に、内側及び前方に傾斜した返し部（barb）１１が形成される。
【００１３】
ばねが緩んだ初期の状態において、スプリングフィンガ９の端部１０は、返し部１１の後方にある。キャップ４を押してランセット２を収納し、図３に示すように、器具が、引き金を引いた状態になり、末端部７は、トリガーレバー１３（図１）のラグ（lug）１２の背面に固定される。キャップ４をランセット２の本体からねじり外し、トリガー１３を押すことにより、器具が稼動し発射する。ばねの付勢力によりランセット２は前方に移動し、スプリングフィンガ９は内側に曲がり、端部１０は、返し部１１を超えた位置をぱちんと通り越し、針先端部がバレル１の前端から瞬間的（momentarily）に突出する。
【００１４】
最大限に伸張したばね５が後退すると、スプリングフィンガ９の端部１０は、返し部１１の背面に噛み合わさる（図４に示された状態）。これが効果的なラチェット機構となる。
【００１５】
キャップ４によりランセット２を引き金をひく位置に押し戻そうとした場合には、少なくとも最初はランセット２の本体は動くが、スプリングフィンガ９は捕らえられることとなる。端部１０が返し部１１に押されるにつれ、スプリングフィンガ９は屈曲し、曲げられ、端部１０は、バレル１の側壁部の開口部１４を介して突出する（図５に示された状態）。これにより、ランセット２は抑止され、引き金をひく位置に到達することなく固定され、再発射を防止する。
【００１６】
上記の実施形態で述べた通り、ランセット２は、反対面にスプリングフィンガ９を備えた、左右対称の形態である。好ましくは、１つのスプリングフィンガで十分となるように、ランセットを構成し、かつ、案内することも可能である。
【図面の簡単な説明】
【００１７】
【図１】本発明のスキンプリッカの側面図である。
【図２】図１に示すスキンプリッカの初期の状態における軸方向断面図である。
【図３】スキンプリッカのランセットの引き金を引いた状態を示した軸方向断面図である。
【図４】ランセットを発射した後のスキンプリッカを示す軸方向断面図である。
【図５】図４に示すランセットの引き金を再度引くことを試みた後のスキンプリッカを示す軸方向断面図である。
【符号の説明】
【００１８】
１：バレル
２：ランセット
３：針
４：キャップ
５：ばね
６：頭部
７：末端部
８：ステム
９：スプリングフィンガ
１０：端部
１１：返し部
１２：ラグ
１３：トリガー
１４：開口部
【図１】
0004547376.tif 000002
【図２】
0004547376.tif 000003
【図３】
0004547376.tif 000004
【図４】
0004547376.tif 000005
【図５】
0004547376.tif 000006